(57)【要約】【課題】より簡単な構造で机本体にパネルを取り付けることが可能な机及びパネルセットを提供する。【解決手段】机本体１０と、机本体１０の周囲の一部（例えば、前方の側部）に取り付けられるパネル３０と、パネル３０の机本体１０に対する上下方向の取付位置を固定する固定部品と、を備える。また、この固定部品として、例えば右側固定部品と左側固定部品とを備える。右側固定部品は、机本体１０の天板１１の前方右側の角部に掛け止められる第１の掛止部と、パネル３０の右側部に嵌合する嵌合部と、を有する。左側固定部品７０は、天板１１の前方左側の角部に掛け止められる第１の掛止部と、パネル３０の左側部に嵌合する嵌合部と、を有する。【選択図】図１１
2016112107.tif 000002
【特許請求の範囲】
【請求項１】
机本体と、
机本体の周囲の一部に取り付けられるパネルと、
前記パネルの前記机本体に対する上下方向の取付位置を固定する固定部品と、を備え、
前記固定部品は、
前記机本体の縁部に掛け止められる第１の掛止部と、
前記パネルの側部に嵌合する嵌合部と、を有することを特徴とする机。
【請求項２】
前記パネルの側部には上下方向に沿って少なくとも１個の開口部が設けられており、
前記嵌合部は一方向に突き出た突出片を有し、
前記少なくとも１個の開口部のうちから任意に選択される開口部に前記突出片が差し込まれることによって、前記嵌合部が前記パネルの側部に嵌合することを特徴とする請求項１に記載の机。
【請求項３】
前記パネルの側部は、
上下方向に沿って設けられ、前記少なくとも１個の開口部を有する第１の縁部を有することを特徴とする請求項２に記載の机。
【請求項４】
前記机本体は、上下方向に沿って設けられたガイド溝を有し、
前記ガイド溝に前記第１の縁部が摺動可能に配置されることを特徴とする請求項３に記載の机。
【請求項５】
前記机本体は、天板と、前記天板を支える脚部とを有し、
前記ガイド溝は前記脚部の周囲の一部に形成されていることを特徴とする請求項４に記載の机。
【請求項６】
前記パネルの側部は、
上下方向に沿って設けられ、前記第１の縁部から離れて配置された第２の縁部を有し、
前記第１の縁部と前記第２の縁部との間に前記ガイド溝の側壁部が配置されることを特徴とする請求項４又は請求項５に記載の机。
【請求項７】
前記固定部品は、前記ガイド溝に掛け止められる第２の掛止部、をさらに備えることを特徴とする請求項４から請求項６の何れか一項に記載の机。
【請求項８】
前記固定部品として、
前記パネルの右側の側部の前記取付位置を固定する右側固定部品と、
前記パネルの左側の側部の前記取付位置を固定する左側固定部品と、
を備えることを特徴とする請求項１から請求項７の何れか一項に記載の机。
【請求項９】
机本体の周囲の一部に取り付けられるパネルと、
前記パネルの前記机本体に対する上下方向の取付位置を固定する固定部品と、を備え、
前記固定部品は、
前記机本体の縁部に掛け止められる第１の掛止部と、
前記パネルの側部に嵌合する嵌合部と、を有することを特徴とするパネルセット。
【発明の詳細な説明】
【技術分野】
【０００１】
本発明は、机及びパネルセットに関する。
【背景技術】
【０００２】
この種の従来技術として、例えば特許文献１に開示されたものがある。特許文献１には、テーブルの一側辺に取り付けるパネルの取付構造が記載されている。すなわち、特許文献１には、パネルの取付構造として、「第１の被係合部を溝部内に固設する。第２の被係合部を、第２の係合部が係合する係合位置と該係合を解除する解除位置との間で移動自在に、かつ、溝部内に設けた付勢手段により前記係合位置に向けて付勢した状態で設ける。第１の被係合部に第１の係合部を係合した状態でパネルを回動し、第２の係合部を第２の被係合部に当接させる。これにより、第２の被係合部は付勢手段による付勢力に抗して解除位置に向けて移動した後、係合位置に復帰して第２の係合部に係合される。」ことが記載されている。
【先行技術文献】
【特許文献】
【０００３】
【特許文献１】特許第５０３７０９２号公報
【発明の概要】
【発明が解決しようとする課題】
【０００４】
特許文献１に記載されたパネルの取付構造では、第２の被係合部が係合位置と解除位置との間で移動自在である必要があり、付勢手段も必要である。
そこで、この発明はこのような事情に鑑みてなされたものであって、より簡単な構造で机本体にパネルを取り付けることが可能な机及びパネルセットの提供を目的とする。
【課題を解決するための手段】
【０００５】
上記課題を解決するために、本発明の一態様に係る机は、机本体と、机本体の周囲の一部に取り付けられるパネルと、前記パネルの前記机本体に対する上下方向の取付位置を固定する固定部品と、を備え、前記固定部品は、前記机本体の縁部に掛け止められる第１の掛止部と、前記パネルの側部に嵌合する嵌合部と、を有することを特徴とする。
また、本発明の一態様に係るパネルセットは、机本体の周囲の一部に取り付けられるパネルと、前記パネルの前記机本体に対する上下方向の取付位置を固定する固定部品と、を備え、前記固定部品は、前記机本体の縁部に掛け止められる第１の掛止部と、前記パネルの側部に嵌合する嵌合部と、を有することを特徴とする。
【発明の効果】
【０００６】
本発明の一態様によれば、より簡単な構造で机本体にパネルを取り付けることが可能な机及びパネルセットを提供することができる。
【図面の簡単な説明】
【０００７】
【図１】本実施形態に係る机１の構成例を示す斜視図である。
【図２】机本体１０の構成例を示す図である。
【図３】パネル３０の構成例を示す図である。
【図４】パネル本体３１の構成例を示す図である。
【図５】右側パネルエンドキャップ３３の構成例を示す図である。
【図６】右側パネルエンドキャップ３３の構成例を示す図である。
【図７】右側固定部品５０の構成例を示す図である。
【図８】右側固定部品５０の構成例を示す図である。
【図９】左側固定部品７０の構成例を示す図である。
【図１０】、パネル３０の取付位置が下限位置で固定されている状態を示す図である。
【図１１】パネル３０を上方向へ移動させると共に、パネル３０から左側固定部品７０を取り外した状態を示す図である。
【図１２】パネル３０の取付位置を中間位置で固定した状態を示す図である。
【図１３】図１２に示すパネル３０及び左側固定部品７０をＸＹ平面で切断した図である。
【図１４】図１２に示すパネル３０及び左側固定部品７０をＸＺ平面で切断した図である。
【図１５】図１２に示すパネル３０及び左側ガイド溝２５をＸＺ平面で切断した図である。
【図１６】図１３に示す左側固定部品７０の脱離防止の機構を示す図である。
【発明を実施するための形態】
【０００８】
以下、本発明の実施形態を図面を用いて説明する。なお、以下に説明する各図において、同一の構成を有する部分には同一の符号を付し、その繰り返しの説明は省略する。
＜構造＞
（１）全体構成
図１は、本実施形態に係る机１の構成例を示す斜視図である。詳しくは、図１（ａ）は、パネル３０の机本体１０に対する上下方向の取付位置を予め設定した範囲の下限位置で固定した状態を示す図である。また、図１（ｂ）は、パネル３０の机本体１０に対する上下方向の取付位置を予め設定した範囲の上限位置で固定した状態を示す図である。
図１（ａ）及び（ｂ）に示すように、机１は、机本体１０と、机本体１０の周囲の一部（例えば、前側の側部）に取り付けられるパネル３０と、パネル３０の机本体１０に対する上下方向の取付位置を予め設定した範囲の位置で固定する固定部品（例えば、右側固定部品５０と左側固定部品７０）と、を備える。
【０００９】
ここで、「上下方向」とは、机１の使用状態における上下方向のことをいい、通常は（すなわち、鉛直方向と垂直に交わる平らな床面に机１を配置した状態では）、鉛直方向と一致する方向のことをいう。図中では、上下方向をＹ軸で示し、上方向（上側）をＹ軸の矢印の向きで示している。また、「前側」とは、机１の使用状態における前後方向の前側のことをいい、机１を使用する使用者（以下、単に「使用者」という。）から見て奥側のことをいう。前後方向の後側は、使用者から見て手前側のことである。図中では、前後方向をＺ軸で示し、前方向（前側）をＺ軸の矢印の向きで示している。次に、机本体１０とパネル３０及び固定部品について、その構造を具体的に説明する。
【００１０】
（２）机本体
図２は、机本体１０の構成例を示す図である。詳しくは、図２（ａ）は机本体１０の構成例を示す斜視図であり、図２（ｂ）は机本体１０の構成例を示す平面図である。また、図２（ｃ）は、机本体１０の縁部のうち、前方右側の角部１０ａを拡大して示す平面図である。図２（ｄ）は、机本体１０の縁部のうち、前方左側の角部１０ｂを拡大して示す平面図である。
図２（ａ）〜（ｄ）に示すように、机本体１０は、天板１１と、天板１１を支える右側脚部１３と、天板を支える左側脚部２３と、上下方向に沿って設けられた右側ガイド溝１５と、上下方向に沿って設けられた左側ガイド溝２５と、幕板１７と、を有する。
【００１１】
（２．１）天板
天板１１は、机本体１０の上面側に配置された板である。天板１１の平面視による形状（以下、平面形状）は、例えば矩形である。天板１１は、鋼材で構成されている。或いは、天板は、合成樹脂（例えば、熱硬化性樹脂若しくは熱可塑性樹脂など）又は木材などで構成されていてもよい。また、天板１１の表面には塗料が塗布されていてもよい。
【００１２】
天板１１のうち、前方右側の領域には、電子機器等に電源を供給するためのコンセントプラグ１１１と、インターネットなどに接続するための接続端子１１３とが設けられている。また、天板１１のうち、前方左側の領域には、天板１１の表面１１ａ側と裏面側との間で、配線コード、ケーブル等を通すための貫通穴１１５が設けられている。なお、図中では、この貫通穴１１５がキャップ（すなわち、蓋体）１１７で塞がれている状態を示しているが、このキャップ１１７は着脱可能である。例えば、貫通穴１１５に配線コードを通す際にキャップ１１７を外すことで、貫通穴１１５が現れるようになっている。
【００１３】
（２．２）脚部、幕板
右側脚部１３は、天板１１の右側下方に配置されている。ここで、「右側」とは、机１の使用状態における左右方向の右側のことをいう。図中では、左右方向をＸ軸で示し、右側をＸ軸の矢印の向きで示している。右側脚部１３は、脚部本体１３１と、脚部本体の上端側に固定された補助フレーム１３２と、脚部本体の下端側に固定された基台部１３３とを有する。補助フレーム１３２は天板１１の裏面側に固定されている。また、脚部本体１３１の下面と、基台部１３３の下面とには、それぞれ台座１３４が取り付けられている。この台座１３４は、右側脚部１３が床面に対して滑ることを防ぐための滑動防止部材であり、右側脚部１３との接触により床面が傷つくことを防ぐための傷付き防止部材でもある。
【００１４】
左側脚部２３は、天板１１の左側下方に配置されている。ここで、「左側」とは、机１の使用状態における左右方向の左側のことをいう。左側脚部２３は、脚部本体２３１と、脚部本体２３１の上端側に固定された補助フレームと、脚部本体２３１の下端側に固定された基台部２３３とを有する。左側脚部２３の補助フレームも天板１１の裏面側に固定されている。また、脚部本体２３１の下面と基台部２３３の下面には、それぞれ台座２３４が取り付けられている。この台座２３４も、右側脚部１３の台座１３４と同様に、滑動防止部材であり、傷付き防止部材でもある。
【００１５】
右側脚部１３及び左側脚部２３はそれぞれ鋼材で構成されている。あるいは、右側脚部１３及び左側脚部２３はそれぞれ合成樹脂又は木材等で構成されていてもよい。さらに、右側脚部１３において、脚部本体１３１と、補助フレーム１３２及び基台部１３３は互いに同じ材料で構成されていてもよいし、異なる材料で構成されていてもよい。左側脚部２３についても同様である。また、右側脚部１３及び左側脚部２３のそれぞれの表面には塗料が塗布されていてもよい。台座１３４、２３４は、例えば、床面に対して高い摩擦力が得られるように軟質の合成樹脂で構成されている。
【００１６】
幕板１７は、矩形の板材である。この幕板１７は、机本体１０の前側の側部であって、右側脚部１３と左側脚部２３との間に配置されている。幕板１７の右側の端部は、右側脚部１３の左側の側面に固定されている。また、幕板１７の左側の端部は、左側脚部２３の右側の側面に固定されている。この幕板１７によって右側脚部１３と左側脚部２３とが連結されるため、幕板１７がない場合と比べて、机本体１０の剛性を高めることができ、机本体１０に外力を加えた場合でもそのぐらつき等を抑制することができる。
【００１７】
（２．３）ガイド溝
右側ガイド溝１５は、右側脚部１３の周囲の一部（例えば、前側の側面）に形成されている。この右側ガイド溝１５は、左右方向の左側に向けて開口しており、平面視で天板１１の下側から露出している。また、左側ガイド溝２５は、左側脚部２３の周囲の一部（例えば、前側の側面）に形成されている。この左側ガイド溝２５は、左右方向の右側に向けて開口しており、平面視で天板１１の下側から露出している。図１に示した机１では、右側ガイド溝１５内にパネル３０の右側の側部（以下、右側の側部を「右側部」と称する。）が摺動可能に配置されている。また、左側ガイド溝２５にパネル３０の左側の側部（以下、左側の側部を「左側部」と称する。）が摺動可能に配置されている。
【００１８】
（３）パネル
図３は、パネル３０の構成例を示す図である。詳しくは、図３（ａ）はパネル３０の構成例を示す斜視図である。また、図３（ｂ）〜（ｆ）はパネル３０の構成例を示す平面図と、正面図（使用者から見て背面に相当する図）と、底面図と、左側面図（使用者から見て右側面に相当する図）と、右側面図（使用者から見て左側面に相当する図）である。
図３（ａ）〜（ｆ）に示すように、パネル３０は、パネル本体３１と、パネル本体３１の右側部に取り付けられた右側パネルエンドキャップ３３と、パネル本体３１の左側部に取り付けられた左側パネルエンドキャップ３５とを有する。パネル３０の左右方向の長さは、例えば、机本体１０の左右方向の長さとほぼ同じである。
【００１９】
（３．１）パネル本体
図４は、パネル本体３１の構成例を示す図である。詳しくは、図４（ａ）はパネル本体３１の構成例を示す斜視図である。また、図４（ｂ）〜（ｆ）はパネル本体３１の構成例を示す平面図と、正面図（使用者から見て背面に相当する図）と、底面図と、左側面図（使用者から見て右側面に相当する図）及び右側面図（使用者から見て左側面に相当する図）である。図４（ｇ）は、第１のパネル板３１１を左右方向と垂直に交わる面（すなわち、ＹＺ平面）で切断したときの断面視による形状（すなわち、断面形状）を拡大して示す図である。
【００２０】
図４（ａ）〜（ｆ）に示すように、パネル本体３１は、第１のパネル板３１１と、第１のパネル板３１１に対向して配置された第２のパネル板３１２と、第１のパネル板３１１と第２のパネル板３１２との間に配置された複数のリブ片３１３とを有する。第１のパネル板３１１は、使用者から見て正面に位置するパネル板である。また、第２のパネル板３１２は、使用者から見て正面の反対側（すなわち、裏側）に位置するパネル板である。
【００２１】
第１のパネル板３１１の平面視による形状は矩形である。第１のパネル板３１１の表面側には左右方向に沿って延設された複数の凸部が設けられている。図４（ｇ）に示すように、第１のパネル板３１１の表面３１１ａ側の凸部の断面形状は、例えば半円弧状である。また、この第１のパネル板３１１の裏面３１１ｂ側には、左右方向に沿って延設された複数の凹部が設けられている。この裏面３１１ｂ側の凹部の形状及び大きさは、表面３１１ａ側の凸部を反転した形状と大きさである。また、この裏面３１１ｂ側の凹部は、表面３１１ａ側の凸部と対向する位置に形成されている。
第２のパネル板３１２は、第１のパネル板３１１と同一の形状で、かつ同一の大きさである。
【００２２】
図４（ａ）（ｅ）（ｆ）に示すように、複数のリブ片３１３は、パネル本体３１の上下方向において、一定の間隔で配置されている。パネル本体３１の厚み方向（例えば、Ｚ軸方向）において、各リブ片３１３の一端は第１のパネル板３１１に固定されており、その他端は第２のパネル板３１２に固定されている。これにより、第１のパネル板３１１と第２のパネル板３１２との間に隙間が確保されている。また、この隙間は複数のリブ片３１３で仕切られて、上下方向に並ぶ複数の空間領域３１４となっている。
【００２３】
第１のパネル板３１１と第２のパネル板３１２及び複数のリブ片３１３は、例えば合成樹脂で一体に形成されている。第１のパネル板３１１と第２のパネル板３１２及びリブ片３１３が合成樹脂で構成される場合は、これらを射出成型技術で形成することができる。
また、第１のパネル板３１１と第２のパネル板３１２及びリブ片３１３は一体ではなく、個々に形成されていてもよい。これらが個々に形成されている場合は、個々の部材が接着剤により互いに接着して一体化していてもよいし、個々の部材が互いに嵌合して一体化していてもよい。また、個々の部材は互いに同一種類の材料で構成されていてもよいし、異なる種類の材料で構成されていてもよい。個々の部材が合成樹脂で構成される場合は、これらを射出成型技術で形成することができる。
【００２４】
（３．２）右側パネルエンドキャップ
図５及び図６は右側パネルエンドキャップ３３の構成例を示す図である。詳しくは、図５（ａ）〜（ｄ）は右側パネルエンドキャップ３３の構成例を示す斜視図である。また、図６（ａ）〜（ｅ）は右側パネルエンドキャップ３３の構成例を示す平面図と、正面図（使用者から見て背面に相当する図）と、底面図と、左側面図（使用者から見て右側面に相当する図）と、右側面図（使用者から見て左側面に相当する図）である。図６（ｆ）及び（ｇ）は、図６（ｄ）のＡ−Ａ線及びＥ−Ｅ線でそれぞれ切断した断面を拡大して示した図である。
図５（ａ）〜図６（ｇ）に示すように、右側パネルエンドキャップ３３は、パネル３０を平面視したときに内側（例えば、図６（ｂ）では右側）に位置する内縁部３３ａと、外側（例えば、図６（ｂ）では左側）に位置する外縁部３３ｂと、を有する。
【００２５】
内縁部３３ａは、上下方向に沿って形成された溝部３３１と、上下方向に沿って形成された複数の突出部３３３とを有する。各突出部３３３は、溝部３３１の底面からパネル本体側（図６（ｂ）では右側）へ突き出ており、上下方向に沿って一定の間隔で一列に並んでいる。また、各突出部３３３は、図６（ｅ）に示すように、コの字形状（すなわち、両端が垂直に立ち上がった形状）、又は、Ｌ字形状（すなわち、一端のみが垂直に立ち上がった形状）に形成されている。各突出部３３３と溝部３３１の側面との間にはそれぞれ隙間が設けられている。
【００２６】
図３に示したパネル３０では、右側パネルエンドキャップ３３の内縁部３３ａの溝部３３１にパネル本体３１の右側部が嵌合し、さらに、内縁部３３ａの複数の突出部３３３がパネル本体３１の右側面に開口している複数の空間領域３１４にそれぞれ嵌合している。これにより、右側パネルエンドキャップ３３がパネル本体３１の右側部に固定されている。
【００２７】
図６（ａ）に示すように、外縁部３３ｂは、上下方向に沿って形成された第１の縁部３３５と、上下方向に沿って形成された第２の縁部３３７とを有する。第１の縁部３３５には複数の第１の開口部３３８と、複数の第２の開口部３４１とが設けられている。第１の開口部３３８と第２の開口部３４１はそれぞれ外側（例えば、図６（ｂ）では左側）に向けて開口している。第１の開口部３３８と第２の開口部３４１は、上下方向に沿って交互に並んでいる。
【００２８】
第１の開口部３３８と第２の開口部３４１の開口端の形状はそれぞれ矩形である。また、第１の開口部３３８の上下方向の長さ（すなわち、縦の長さ）は、第２の開口部３４１の上下方向の長さよりも短い。第１の開口部３３８の横の長さは、第２の開口部３４１の横の長さと同じである。第１の開口部３３８の深さ（すなわち、奥行の長さ）は、第２の開口部３４１の深さと同じである。
【００２９】
また、第２の縁部３３７は、第１の縁部３３５と隣り合っている。第１の縁部３３５と第２の縁部３３７との間には隙間３３６が設けられている。この隙間３３６の底部には、この隙間３３６を上下方向で複数の領域に仕切る壁部３４３が設けられている。図６（ａ）に示すように、この壁部３４３は、第１の開口部３３８と第２の開口部３４１との間の壁部３４５と同一直線上に並んでいる（すなわち、壁部３４３、３４５は、上下方向において同じ高さに位置する）。なお、この壁部３４３の隙間３３６の底部からの高さは、右側パネルエンドキャップ３３の第１の縁部３３５が右側ガイド溝１５に配置されたときに、右側ガイド溝１５の側壁部とは接触しないように設定されている。
【００３０】
さらに、右側パネルエンドキャップ３３の上端部には、第１の縁部３３５と第２の縁部３３７とに跨るように第３の開口部３３９が設けられている。この第３の開口部３３９も、第１の開口部３３８や第２の開口部３４１と同様に、外側に向けて開口している。第３の開口部３３９の開口端の形状は矩形である。また、この第３の開口部３３９は、第１の開口部３３８や第２の開口部３４１と比べて、幅広に形成されており、開口端が外側へ突き出ている。右側パネルエンドキャップ３３は、例えば合成樹脂を用いた射出成型技術で形成することができる。
【００３１】
（３．３）左側パネルエンドキャップ
左側パネルエンドキャップ３５は、図５及び図６に示した右側パネルエンドキャップ３３と面対称の形状及び大きさを有する。すなわち、後述の図１１に示すように、左側パネルエンドキャップ３５は、パネル３０を平面視したときに内側に位置する内縁部３５ａと、外側に位置する外縁部３５ｂとを有する。左側パネルエンドキャップ３５の内縁部３５ａは、図６に示した内縁部３３ａと同様に、上下方向に沿って形成された溝部と、上下方向に沿った複数の突出部とを有する。また、左側パネルエンドキャップ３５の外縁部３５ｂは、図６に示した外縁部３３ｂと同様に、上下方向に沿って形成された第１の縁部３５５と、上下方向に沿って形成された第２の縁部３５７とを有する。そして、第１の縁部３５５には上下方向に沿って並ぶ複数の第１の開口部３５８と複数の第２の開口部３６１とが設けられている。また、左側パネルエンドキャップ３５の上端部には、第１の縁部３３５と第２の縁部３３７とに跨るように第３の開口部３５９が設けられている。
【００３２】
図３に示したパネル３０では、左側パネルエンドキャップ３５の内縁部の溝部にパネル本体３１の左側部が嵌合し、さらに、内縁部の各突出部がパネル本体３１の左側面に開口している複数の空間領域３１４にそれぞれ嵌合している。これにより、左側パネルエンドキャップ３５がパネル本体３１の左側部に固定されている。
【００３３】
（４）固定部品
本実施形態に係る机１は、パネル３０の机本体１０に対する上下方向の取付位置を、予め設定した範囲の位置で固定する固定部品として、右側固定部品と、左側固定部品とを備える。右側固定部品は、パネル３０の右側部の取付位置を固定する部品である。また、左側固定部品は、パネル３０の左側部の取付位置を固定する部品である。まず右側固定部品について説明し、次に左側固定部品について説明する。
【００３４】
（４．１）右側固定部品
図７及び図８は、右側固定部品５０の構成例を示す図である。詳しくは、図７（ａ）〜（ｄ）は右側固定部品５０の構成例を示す斜視図である。また、図８（ａ）〜（ｅ）は右側固定部品５０の構成例を示す平面図と、正面図と、底面図と、左側面図と、右側面図である。
図７（ａ）〜図８（ｅ）に示す右側固定部品５０は、第１の掛止部５１と、嵌合部５３と、第２の掛止部５５と、摘み部５７とを有する。第１の掛止部５１は、机本体１０の天板１１に掛け止められる部位であり、その形状は例えば板状である。
【００３５】
嵌合部５３は、右側パネルエンドキャップが有する複数の第１の開口部、又は第３の開口部のうちの任意に選択される開口部に着脱自在に嵌合する部位である。嵌合部５３は、第１の掛止部５１の左右のうち一方の斜め下側（例えば、図８（ｂ）では右側下）に位置する。
嵌合部５３は、側板５３１と、側板５３１の一方の面から突出した第１の突出片５３３及び第２の突出片５３５と、を有する。第１の突出片５３３及び第２の突出片５３５が突出している方向は、第１の掛止部５１が突出している方向と同じ方向である。第１の突出片５３３と第１の突出片５３５は、例えば同一の形状で同一の大きさを有する。また、第１の突出片５３３と第１の突出片５３５は隣り合って配置されており、これらの間には隙間５３７が設けられている。また、図８（ａ）に示すように、第１の突出片５３３と第１の掛止部５１は平面視で隣り合って配置されており、これらの間にも平面視で隙間５３９が設けられている。
【００３６】
第２の掛止部５５は、嵌合部５３が右側パネルエンドキャップ３３に嵌合した際に、ガイド溝に掛け止められる部位である。第２の掛止部５５は嵌合部５３の下方に配置されている。また、図８（ｄ）及び（ｅ）に示すように、第２の掛止部５５と嵌合部５３との間には隙間５４１が設けられている。第２の掛止部５５はＬ字形状に形成されている。この第２の掛止部５５のＬ字の一端部は嵌合部５３の側板５３１に固定されており、Ｌ字の他端部は下側に向けられている。
【００３７】
摘み部５７は、第１の掛止部５１上から嵌合部５３上に位置する凸部である。右側固定部品５０をパネル３０に着脱する際に、使用者はその手指を摘み部５７にかけて着脱の動作を行うことが可能である。  
右側固定部品５０は例えば熱硬化性樹脂で形成されており、第１の掛止部５１と、嵌合部５３と、第２の掛止部５５及び摘み部５７は一体に形成されている。この場合、右側固定部品５０は射出成型技術で形成してもよい。
側板５３１の他方の面（すなわち、第１の突出片５３３と第１の突出片５３５とが設けられている側の反対側の面）には、右側の部品であることを示す「Ｒ」の文字が記されている。また、この「Ｒ」の文字の隣に記載された矢印は、机１の使用状態における前後方向の後側（すなわち、使用者からみて手前側）を示している。
【００３８】
（４．２）左側固定部品
図９（ａ）〜（ｄ）は左側固定部品７０の構成例を示す斜視図である。
左側固定部品７０は、図７及び図８に示した右側固定部品５０と面対称の形状及び大きさを有する。すなわち、図９（ａ）〜（ｄ）に示すように、左側固定部品７０は、第１の掛止部７１と、嵌合部７３と、第２の掛止部７５及び摘み部７７を有する。これら第１の掛止部７１と、嵌合部７３と、第２の掛止部７５及び摘み部７７は、右側固定部品５０の第１の掛止部５１と、嵌合部５３と、第２の掛止部５５及び摘み部５７とそれぞれ同一の構成で同一の機能を有する。
【００３９】
また、右側固定部品５０と異なる点として、第１の掛止部７１と嵌合部７３との位置関係と、側板７３１に記された文字が挙げられる。例えば、嵌合部の側板の側から見て、右側固定部品５０では第１の掛止部５１の右側下に嵌合部５３が位置する（図７を参照）のに対し、左側固定部品７０では第１の掛止部７１の左側下に嵌合部７３が位置する。また、側板７３１の他方の面（すなわち、第１の突出片７３３と第２の突出片７３５とが設けられている側の反対側の面）には、左側の部品であることを示す「Ｌ」の文字が記載されている。
【００４０】
＜取付位置の調整方法＞
次に、パネル３０の机本体１０に対する上下方向の取付位置を調整する方法について説明する。ここではまず、パネル３０の上下方向の取付位置が予め設定した範囲の下限位置で固定されている場合について説明する。次に、パネル３０を下限位置から上方向へ移動させ、その後、移動後の位置で再固定する場合について説明する。
【００４１】
（１）初期状態
図１０は、パネル３０の取付位置が下限位置で固定されている状態を示す斜視図である。図１０では、机１の前方左側を拡大して示している。図１０に示す状態では、パネル３０の左側部は左側ガイド溝に摺動可能に配置されており、パネル３０の右側部は右側ガイド溝に摺動可能に配置されている。具体的には、左側パネルエンドキャップ３５の第１の縁部３５５は左側ガイド溝に摺動可能に配置されている（第１の縁部３５５と左側ガイド溝２５との位置関係については、後述の図１５参照）。同様に、右側パネルエンドキャップの第１の縁部は右側ガイド溝に摺動可能に配置されている。
【００４２】
また、左側パネルエンドキャップ３５の第１の縁部３５５に形成されている複数の開口部のうち、上下方向の最も上側に位置する第３の開口部３５９に左側固定部品７０の第１の突出片及び第２の突出片が差し込まれて嵌合している（第１の縁部３５５と、第１の開口部３５８、第３の開口部３５９の各位置については、例えば後述の図１１参照）。同様に、右側パネルエンドキャップの第１の縁部に形成されている複数の開口部のうち、上下方向の最も上側に位置する第３の開口部に、右側固定部品の第１の突出片及び第２の突出片が差し込まれて嵌合している。
【００４３】
また、左側固定部品７０の第１の掛止部７１は天板１１の前方左側の角部付近に掛け止められており、左側固定部品７０の第２の掛止部は左側ガイド溝の端部に掛け止められている。同様に、右側固定部品の第１の掛止部は天板１１の前方右側の角部付近に掛け止められており、右側固定部品の第２の掛止部は右側ガイド溝の端部に掛け止められている。
これにより、パネル３０は、左側固定部品７０を介して天板１１の前方左側の角部に支えられると共に、右側固定部品を介して天板１１の前方右側の角部に支えられ、予め設定した範囲の下限位置よりもさらに下側へ移動すること（例えば、自重により床面に落下すること）が防がれている。図１０に示す状態は、パネル３０の天板１１からの高さがほぼゼロの状態である。
【００４４】
（２）上方向への移動
図１０に示した状態から、パネル３０を上方向に持ち上げて使用する場合は、パネル３０を上方向へ持ち上げる。また、このパネル３０の上方向への移動と前後して、または並行して、パネル３０から左側固定部品７０と右側固定部品とを取り外す。左側固定部品７０は、例えば摘み部７７に指をかけて下方に多少押し下げつつ外側へ引きだす。これにより、左側固定部品７０の第２の掛止部が左側ガイド溝から外れるので、左側固定部品７０をパネル３０から取り外すことができる。右側固定部品のパネル３０からの取り外し方法も同様である。
【００４５】
図１１は、パネル３０を上方向へ移動させると共に、パネル３０から左側固定部品７０を取り外した状態を示す図である。図１０に示した状態から図１１に示すように、パネル３０を上方向に移動させると、左側ガイド溝に隠れていた、左側パネルエンドキャップ３５の第１の開口部３５８と第２の開口部３６１とが現れる。同様に、右側パネルエンドキャップの第１の開口部と第２の開口部も右側ガイド溝から現れる。また、図１０に示した状態から図１１に示すように、パネル３０から左側固定部品７０を取り外すと、左側パネルエンドキャップ３５の上下方向の最も上側に位置する第３の開口部３５９が現れる。同様に、パネル３０から右側固定部品を取り外すと、右側エンドキャップの上下方向の最も上側に位置する第３の開口部が現れる。
【００４６】
（３）移動後の固定
パネル３０を持ち上げて天板１１からの高さが所望の高さとなったら、左側パネルエンドキャップ３５の左側レール溝から露出している第１の開口部３５８のうちから、所望の高さに対応する開口部を選択し、選択した開口部に左側固定部品７０の嵌合部を嵌合させる。また、この左側固定部品７０の嵌合と前後して、または並行して、右側パネルエンドキャップの右側レール溝から露出している開口部のうちから、所望の高さに対応する開口部を選択し、選択した開口部に左側固定部品の嵌合部を嵌合させる。左側ガイド溝と右側ガイド溝とにより、パネル３０の移動は上下方向に沿うようにガイドされ、パネル３０が左右方向や前後方向に傾くことが防がれているので、左側パネルエンドキャップ３５で選択される開口部と、右側パネルエンドキャップで選択される開口部は、天板１１からの高さが同じとなる。
【００４７】
（３．１）パネルの左側部の固定
図１２は、パネル３０の取付位置を予め設定した範囲の下限位置と上限位置との間の位置（すなわち、中間位置）で固定した状態を示す図である。図１３は、図１２に示すパネル３０及び左側固定部品７０を前後方向と垂直に交わる面（すなわち、ＸＹ平面）で切断した断面図である。図１４は、図１２に示すパネル３０及び左側固定部品７０を、上下方向と垂直に交わる面（すなわち、ＸＺ平面）で切断した断面図である。図１５は、図１２に示すパネル３０及び左側ガイド溝２５を、上下方向と垂直に交わる面（すなわち、ＸＺ平面）で切断した断面図である。なお、図１５は、図１４よりも下側の位置の断面図である。
【００４８】
図１２〜図１５に示す状態では、左側固定部品７０のうち第１の突出片７３３が左側パネルエンドキャップ３５の第１の開口部３５８に差し込まれており、第１の突出片７３３の上面と第１の開口部３５８の上側の壁部とが接触している。また、図１４に示すように、第２の突出片７３５は第１の縁部３５５と第２の縁部３３７との間の隙間３５６に配置されている。図示しないが、この第２の突出片７３５の上面と、隙間３５６の上側に位置する壁部とが接触している。このように、第１の突出片７３３が第１の縁部３５５に設けられた第１の開口部３５８に差し込まれると共に、第２の突出片７３５が第１の縁部３５５と第２の縁部３５７との間の隙間３５６に差し込まれることによって、左側固定部品７０の嵌合部７３は左側パネルエンドキャップ３５の外縁部に嵌合している。
【００４９】
また、図１３に示すように、左側固定部品７０の第２の掛止部７５は第１の開口部３５８の直下の第２の開口部３６１に配置されている。さらに、第１の突出片７３３が差し込まれている第１の開口部３５８と、第２の掛止部７５が配置されている第２の開口部３６１との間の壁部３６５が、左側固定部品７０の第１の突出片７３３及び第２の突出片と第２の掛止部７５との間の隙間に配置されている。そして、左側固定部品７０の第１の掛止部が天板１１の前方左側の角部上に配置されている。これにより、パネル３０の左側部は天板１１の前方左側の角部に掛け止められている。
なお、図１３に示す状態では、左側固定部品７０の下部が左側ガイド溝２５の上側端部に接触していてもよい。これにより、左側固定部品７０と机本体１０との接触箇所が増えるので、パネル３０の左側部をより安定に机本体１０に取り付けることができる。
【００５０】
図１６は、図１３に示す左側固定部品７０の脱離防止の機構を示す断面図である。図１６に示すように、左側固定部品７０が左側パネルエンドキャップ３５の外縁部に嵌合しているときに、例えば、振動や物品等との接触により左側固定部品７０が外側にずれても、第２の掛止部７５が左側ガイド溝２５の上側端部に引っ掛かる。これにより、左側固定部品７０の左側パネルエンドキャップ３５からの意図しない脱離を防ぐことができる。
【００５１】
（３．２）パネルの右側部の固定
パネルの右側部の固定も、パネルの左側部の場合と同様である。すなわち、右側固定部品のうち第１の突出片が右側パネルエンドキャップの第１の開口部に差し込まれており、第１の突出片の上面と第１の開口部の少なくとも上側の壁部とが接触している。また、第２の突出片が第１の縁部と第２の縁部との間の隙間に配置されており、第２の突出片の上面が、この隙間の上側に位置する壁部と接触している。これにより、左側固定部品の嵌合部は左側パネルエンドキャップの外縁部に嵌合している。
【００５２】
また、右側固定部品の第２の掛止部は第１の開口部の直下の第２の開口部に配置されている。さらに、第１の突出片が差し込まれている第１の開口部と、第２の掛止部が配置されている第２の開口部との間の壁部が、右側固定部品の第１の突出片及び第２の突出片と第２の掛止部との間の隙間に配置されている。そして、右側固定部品の第１の掛止部が天板の前方右側の角部上に配置されている。これにより、パネルの右側部は天板の前方右側の角部に掛け止められている。
【００５３】
（４）再移動と再固定
なお、図１２に示した状態からパネル３０を再移動させる場合は、例えば、パネル３０を手で持ち上げる。次に、パネル３０から左側固定部品７０と右側固定部品とを取り外す。そして、パネル３０を机本体１０に対して昇降させる。パネル３０の天板１１からの高さが所望の高さとなったら、パネル３０の左側部に左側固定部品７０を取り付けると共に、パネル３０の右側部に右側固定部品を取り付ける。左側固定部品７０及び右側固定部品の取付方法は、上記「（３）移動後の再固定」の欄で説明した通りである。
【００５４】
＜対応関係＞
この実施形態では、第１の対応関係として、第１の開口部３３８が本発明の「少なくとも１個の開口部」に対応し、第１の突出片５３３が本発明の「突出片」に対応している。また、右側脚部１３が本発明の「脚部」に対応し、右側ガイド溝１５が本発明の「ガイド溝」に対応している。さらに、右側固定部品５０が本発明の「固定部品」に対応している。
また、第２の対応関係として、第１の開口部３５８が本発明の「少なくとも１個の開口部」に対応し、第１の突出片７３３が本発明の「突出片」に対応している。また、左側脚部２３が本発明の「脚部」に対応し、左側ガイド溝２５が本発明の「ガイド溝」に対応している。さらに、左側固定部品７０が本発明の「固定部品」に対応している。
なお、「少なくとも１個」は、１個又は複数個のことを意味する。
【００５５】
＜実施形態の効果＞
本発明の実施形態は、以下の効果を奏する。
（１）右側固定部品５０の第１の掛止部５１を天板１１の前方右側の角部１０ａに掛け止めると共に、右側固定部品５０の嵌合部５３をパネル３０の右側部（右側パネルエンドキャップ３３の外縁部）に嵌合させる。同様に、左側固定部品７０の第１の掛止部７１を天板１１の前方左側の角部１０ｂに掛け止めると共に、左側固定部品７０の嵌合部７３をパネル３０の左側部（左側パネルエンドキャップ３５の外縁部）に嵌合させる。これにより、パネル３０の机本体１０に対する上下方向の取付位置が固定する。したがって、従来の取付構造と比べて、付勢手段を用いた複雑な機構は必要なく、より簡単な構造で机本体にパネルを取り付けることができる。
【００５６】
（２）右側パネルエンドキャップ３３の外縁部３３ｂには、上下方向に沿って複数の第１の開口部３３８が設けられている。これら複数の第１の開口部３３８のうちから任意に開口部を選択し、選択した開口部に右側固定部品５０の嵌合部５３を嵌合させる。同様に、左側パネルエンドキャップ３５の外縁部３５ｂには、上下方向に沿って複数の第１の開口部３５８が設けられている。これら複数の第１の開口部３５８のうちから任意に開口部を選択し、選択した開口部に左側固定部品７０の嵌合部７３を嵌合させる。このように、パネル３０の右側部と左側部の両方で、複数の第１の開口部のうちから任意の開口部を選択し、選択した開口部に固定部品の嵌合部をそれぞれ嵌合することによって、パネル３０の上下方向の取付位置を多段階に調整することができる。
【００５７】
（３）また、パネル３０は合成樹脂からなり、パネル本体３１の内部は複数の空間領域３１４が存在する（すなわち、中空となっている）。このため、パネル３０は軽量である。これにより、使用者は、パネル３０を手で容易に持ち上げることができ、その取付位置の調整を容易に行うことができる。
（４）また、パネル３０の右側部は右側ガイド溝１５に摺動可能に配置されている。同様に、パネル３０の左側部は左側ガイド溝２５に摺動可能に配置されている。これにより、パネル３０が左右方向（すなわち、Ｘ軸方向）や前後方向（すなわち、Ｚ軸方向）へ動かないようにすることができる。また、パネル３０の上下方向における取付位置を調整する際は、左右方向や前後方向へ動かさずに、上下方向（すなわち、Ｙ軸方向）に沿ってパネル３０を昇降させることができる。
【００５８】
（５）また、図１５に示したように、パネル３０の左側部が左側ガイド溝２５に摺動可能に配置されているとき、左側ガイド溝２５の側壁部２５１は、左側パネルエンドキャップ３５の第１の縁部３５５と第２の縁部３５７との間に挟まれている。これにより、側壁部２５１が挟まれていない場合と比べて、パネル３０の左側部の前後方向への移動をさらに制限することができ、この左側部が左側ガイド溝２５から意図せず外れることをさらに防ぐことができる。
【００５９】
同様に、パネル３０の右側部が右側ガイド溝１５に摺動可能に配置されているとき、右側ガイド溝１５の側壁部は、右側パネルエンドキャップ３３の第１の縁部３３５と第２の縁部３３７との間に挟まれている。これにより、側壁部が挟まれていない場合と比べて、パネルの右側部の前後方向への移動をさらに制限することができ、この右側部が右側ガイド溝１５から意図せず外れることをさらに防ぐことができる。
【００６０】
（６）また、図１６に示したように、左側固定部品７０が左側パネルエンドキャップ３５の外縁部に嵌合しているときに、左側固定部品７０が外側に意図せずに位置ずれしても、第２の掛止部７５が左側ガイド溝２５の上側端部に引っ掛かる。これにより、左側固定部品７０の左側パネルエンドキャップ３５からの意図しない脱離を防ぐことができる。右側固定部品５０についても同様である。
【００６１】
（７）また、右側固定部品５０及び左側固定部品７０や、右側パネルエンドキャップ３３及び左側パネルエンドキャップ３５及びパネル本体３１は、例えば合成樹脂を用いた射出成型技術でそれぞれ形成することができる。したがって、パネル３０や、右側固定部品５０、左側固定部品７０の量産が容易であり、製造コストの低減が可能である。
（８）また、パネル本体３１が合成樹脂で構成される場合は、その色や光の透過率を任意に設定できる。このため、パネル本体３１の色や光の透過率に関してバリエーションを増やすことが容易である。
【００６２】
（９）また、本実施形態によれば、パネル３０と、右側固定部品５０及び左側固定部品７０とを有するパネルセットを用いて、机本体１０にパネル３０を後付けしてもよい（すなわち、机本体１０に対して、パネル３０を増設してもよい。）。例えば、図１に示した机１のうち、机本体１０のみを使用者が有する場合は、使用者は上記のパネルセットを購入することで、机本体１０に対してパネル３０を後付けすることができる。
【００６３】
＜変形例＞
（１）上記の実施形態では、机本体１０は、脚部として右側脚部と左側脚部の２本を有する場合について説明した。しかしながら、本発明において、机本体１０の脚部は２本に限定されない。例えば、脚部は、前方の左右両側に２本あり、後方（すなわち、使用者から見て手前）の左右両側に２本あり、計４本であってもよい。このような構成であっても、上記の実施形態の効果（１）〜（９）と同様の効果を奏する。
【００６４】
（２）また、上記の実施形態では、脚部の下に配置される台座１３４、２３４が滑動防止部材である場合について説明した。しかしながら、台座１３４、２３４は滑動防止部材ではなく、車輪を備えたキャスタであってもよい。このような構成であれば、キャスタの車輪を転動可能な状態とすることにより、机を左右方向や前後方向へ容易に移動させることができる。また、この場合も、上記の実施形態の効果（１）〜（９）と同様の効果を奏する。
【００６５】
（３）また、上記の実施形態では、パネル３０が合成樹脂で構成されている場合について説明した。しかしながら、本発明において、パネル３０を構成する材料は合成樹脂に限定されない。パネル３０の少なくとも一部が鋼材又は木材で構成されていてもよい。例えば、机の使用状態において、使用者と向かい合う第１のパネル板３１のみを軽量の鋼材で構成してもよい。このような構成であれば、第１のパネル板３１に磁石を用いて資料等を貼付することが可能である。また、この場合も、パネル３０の軽量化を図ることにより、上記の実施形態の効果（１）〜（９）と同様の効果を奏する。
【００６６】
（４）また、上記の実施形態では、机本体１０の周囲の一部として、机本体１０の前側部にパネル３０を取り付ける場合について説明した。しかしながら、本発明において、パネル３０の取付位置はこれに限定されるものではない。例えば、机本体１０の周囲の一部として、机本体１０の右側部及び左側部の少なくとも一方にパネル３０を取り付けてもよい。或いは、机本体１０の前側部と、右側部及び左側部にかけて、連続して又は個々にパネル３０を取り付けてもよい。何れの場合も、机本体１０の縁部（例えば、天板１１の縁部のうち、パネル３０の側部に近い位置）に固定部品の第１の掛止部を掛け止めることにより、机本体１０にパネル３０を簡単な構造で取り付けることができる。このような構成であっても、上記の実施形態の効果（１）〜（９）と同様の効果を奏する。
【００６７】
（５）また、上記の実施形態では、右側パネルエンドキャップ３３には複数個の第１の開口部３３８が設けられており、左側パネルエンドキャップ３５には複数個の第１の開口部３５８が設けられている場合について説明した。しかしながら、本発明において、第１の開口部３３８、３５８のそれぞれの個数は複数個に限定されるものではない。第１の開口部３３８、３５８はそれぞれ１個ずつでもよい。このような場合でも、パネルの机本体１０に対する上下方向の取付位置を固定することができる。従来の取付構造と比べて、付勢手段を用いた複雑な機構は必要なく、より簡単な構造で机本体１０にパネルを取り付けることができる。
以上に説明した本実施形態に係る机１は、例えば、事務机、学習机又は書斎机として使用することができる。
【００６８】
＜その他＞
本発明は、以上に記載した実施形態と各変形例に限定されるものではない。当業者の知識に基づいて実施形態や各変形例に設計の変更を加えてもよく、また、実施形態や各変形例を任意に組み合わせてもよく、そのような変更等が加えられた態様も本発明の技術的範囲に含まれる。
【符号の説明】
【００６９】
１  机
１０  机本体
１０ａ  前方右側の角部
１０ｂ  前方左側の角部
１１  天板
１１ａ  表面
１３  右側脚部
１５  右側ガイド溝
１７  幕板
２３  左側脚部
２５  左側ガイド溝
３０  パネル
３１  パネル本体
３３  右側パネルエンドキャップ
３３ａ、３５ａ  内縁部
３３ｂ、３５ｂ  外縁部
３５  左側パネルエンドキャップ
５０  右側固定部品
５１、７１  第１の掛止部
５３、７３  嵌合部
５５、７５  第２の掛止部
５７、７７  摘み部
７０  左側固定部品
１１１  コンセントプラグ
１１３  接続端子
１１５  貫通穴
１１７  キャップ
１３１、２３１  脚部本体
１３２  補助フレーム
１３３、２３３  基台部
１３４、２３４  台座
２５１  側壁部
３１１  第１のパネル板
３１１ａ  表面
３１１ｂ  裏面
３１２  第２のパネル板
３１３  リブ片
３１４  空間領域
３３１  溝部
３３３  突出部
３３５、３５５  第１の縁部
３３６、３５６         隙間
３３７、３５７         第２の縁部
３３８、３５８  第１の開口部
３３９、３５９  第２の開口部
３４１、３６１  第３の開口部
３４３、３４５、３６５  壁部
５３１、７３１  側板
５３３、７３３  第１の突出片
５３５、７３５  第２の突出片
５３７、５３９、５４１  隙間
【図１】
2016112107.tif 000003
【図２】
2016112107.tif 000004
【図３】
2016112107.tif 000005
【図４】
2016112107.tif 000006
【図５】
2016112107.tif 000007
【図６】
2016112107.tif 000008
【図７】
2016112107.tif 000009
【図８】
2016112107.tif 000010
【図９】
2016112107.tif 000011
【図１０】
2016112107.tif 000012
【図１１】
2016112107.tif 000013
【図１２】
2016112107.tif 000014
【図１３】
2016112107.tif 000015
【図１４】
2016112107.tif 000016
【図１５】
2016112107.tif 000017
【図１６】
2016112107.tif 000018